(57)【特許請求の範囲】
【請求項１】
受信された電子番組ガイドにおいて放送チャンネル、開始時刻および終了時刻によって定まる一の番組の放送時間帯が、該番組の詳細内容が記載されユーザの操作により表示される番組詳細情報に含まれる文字列によって２以上に分割可能なとき、該番組を２以上に分割して選択可能に表示する、受信装置であって、
前記番組の前記開始時刻から終了時刻までの時間帯を２以上に分割可能であることを示し、かつ、所定の時刻を示す文字列である分割情報に示される時刻が前記一の番組の前記時間帯に含まれるときに、前記分割情報に示される時刻を録画予約の開始時刻として録画予約処理を行うことを特徴とする受信装置。
【請求項２】
放送される各番組に関する情報を有する電子番組ガイドを受信する受信部と、
受信した前記電子番組ガイドのうち放送チャンネル、開始時刻および終了時刻によって定まる一の番組の詳細内容が記載されユーザの操作により表示される文字列である番組詳細情報に、該番組の前記開始時刻から前記終了時刻までの時間帯を２以上に分割可能であることを示し、かつ、所定の時刻を示す文字列である分割情報が含まれるかを判断する制御部と、
前記番組詳細情報に前記分割情報が含まれる場合、前記時間帯を２以上に分割して表示する表示部と、
２以上に分割して前記表示部に表示された前記時間帯のうち一の選択を受信する操作部と
を有する受信装置であって、
前記制御部は、前記分割情報に示される時刻が前記一の番組の前記時間帯に含まれるときに、前記分割情報に示される時刻を録画予約の開始時刻として録画予約処理を行うことを特徴とする受信装置。
【請求項３】
請求項２において、
前記制御部は、前記一の番組の前記時間帯に１２時間を加算または減算した時間帯も前記時間帯とみなして、前記分割情報に示される時刻が前記一の番組の前記時間帯に含まれるか否かを判断することを特徴とする受信装置。
【請求項４】
放送される各番組に関する情報を有する電子番組ガイドを受信する受信工程と、
受信した前記電子番組ガイドのうち放送チャンネル、開始時刻および終了時刻によって定まる一の番組の詳細内容が記載されユーザの操作により表示される文字列である番組詳細情報に、該番組の前記開始時刻から前記終了時刻までの時間帯を２以上に分割可能であることを示し、かつ、所定の時刻を示す文字列である分割情報が含まれるかを判断する制御工程と、
前記番組詳細情報に前記分割情報が含まれる場合、前記時間帯を２以上に分割して表示する表示工程と、
２以上に分割して前記表示部に表示された前記時間帯のうち一の選択を受信する操作工程と、
前記分割情報に示される時刻が前記一の番組の前記時間帯に含まれるときに、前記分割情報に示される時刻を録画予約の開始時刻として録画予約処理を行う録画予約処理工程と、
を有することを特徴とする受信方法。
【発明の詳細な説明】
【技術分野】
【０００１】
本発明は、電子番組ガイドデータ等を受信し、受信した電子番組ガイドデータを選択できるようにした受信装置に関する。
【背景技術】
【０００２】
現行のデジタル放送は、番組データとあわせて電子番組ガイド（ＥＰＧ: Ｅｌｅｃｔｒｏｎｉｃ Ｐｒｏｇｒａｍ Ｇｕｉｄｅ)が放送されている。テレビ等のデジタル放送受信機は、受信したＥＰＧデータに基づいて番組表を表示可能になっており、ユーザーは多数の番組の中から容易に録画予約等の対象となる番組を選択できる。
【０００３】
一般的な番組表は、列をチャンネル、行を放送時間として番組を配置するいわゆるラテ欄形式で表示される。この番組表を用いて、番組のタイトルなど各欄に表示される簡単な情報から、どの時間帯にどの番組が放送されるのかをユーザーは確認することができる。また、番組表から１つの番組を選択して所定の操作を行うと、出演者やあらすじなどの番組の詳細情報が表示される。このような情報を確認し、ユーザーは録画予約を設定する番組を選択することができる。
【０００４】
特許文献１には、ＥＰＧを利用して録画予約する時、チャンネル番号と時間帯を指定するだけで、番組表の中から所望のテレビ番組を選択できるようにした技術が記載されている。
【先行技術文献】
【特許文献】
【０００５】
【特許文献１】特開２００９−１９４５８８公報
【発明の概要】
【発明が解決しようとする課題】
【０００６】
ＥＰＧ上で１つの番組として取り扱われている場合でも、実際には当該番組の時間帯に複数の番組が含まれることがある。従来の技術を用いてＥＰＧを利用して録画予約を設定する場合、このような複数の番組のうちの１つを選択できなかった。したがって、複数の番組のすべてを録画予約するか、ＥＰＧを利用せず、複数の番組のうち録画したい番組の時間帯と放送局を指定して手動で録画予約を設定するしか方法がなかった。
【課題を解決するための手段】
【０００７】
本発明は、受信された電子番組ガイドにおいて放送チャンネル、開始時刻および終了時刻によって定まる一の番組の放送時間帯が、該番組の詳細内容が記載されユーザの操作により表示される番組詳細情報に含まれる文字列によって２以上に分割可能なとき、該番組を２以上に分割して選択可能に表示する、受信装置であって、前記番組の前記開始時刻から終了時刻までの時間帯を２以上に分割可能であることを示し、かつ、所定の時刻を示す文字列である分割情報に示される時刻が前記一の番組の前記時間帯に含まれるときに、前記分割情報に示される時刻を録画予約の開始時刻として録画予約処理を行うことを特徴とする。
【発明の効果】
【００１１】
本発明は、ＥＰＧ上では１つの番組として取り扱われている複数の番組について、各番組を独立して選択できる。これによって、ユーザーは自分の録画したい番組だけを選択して録画予約を行うことができる。
【図面の簡単な説明】
【００１２】
【図１】本実施形態を構成する受信装置の機能ブロックを示す図である。
【図２】本実施形態の受信装置の動作を示す図である。
【図３】本実施形態の番組表を示す図である。
【図４】本実施形態の番組表上の番組の一例を示す図である。
【図５】本実施形態の番組選択画面の一例を示す図である。
【図６】本実施形態の番組分割点抽出の動作を示す図である。
【発明を実施するための形態】
【００１３】
以下、図面を参照して本発明を実施するための形態について詳細に説明する。図１は、本実施形態を構成する受信装置の機能ブロックを示す図である。受信装置１は、制御部１１、受信部２２、記憶部２３、操作部２４、表示部３１、スピーカー３２を有する。
【００１４】
受信部２２は、不図示のアンテナから放送信号を受信する。放送信号には、複数のチャンネルの放送信号が含まれており、受信部２２は、当該放送信号の中から選択されているチャンネルの放送信号を抽出して復調し、いわゆるトランスポートストリームと呼ばれるデジタルデータを取り出す。トランスポートストリームには、ＭＰＥＧ形式でエンコードされた画像データと音声データからなる番組データ、及び電子番組ガイド（ＥＰＧ:Ｅｌｅｃｔｒｏｎｉｃ Ｐｒｏｇｒａｍ Ｇｕｉｄｅ)が含まれる。また受信部２２は、取り出したトランスポートストリームを制御部１１に出力する。
【００１５】
制御部１１は、具体的には、図示しないプロセッサ、メモリ、ハードディスクドライブなどの不揮発メモリなどによって構成されるコンピュータである。制御部１１は、受信部から出力されたトランスポートストリームから、画像データ、音声データ、及びＥＰＧデータを分離抽出する。また、制御部１１は、画像データをデコードして表示部３１に出力し、音声データをデコードして音声出力部２３に出力する。さらに、制御部１１は、分離したＥＰＧデータを記憶部２３に記憶する。
【００１６】
表示部３１は、画像信号を表示し、スピーカー３２は、音声信号を出力する。これによって、ユーザーは番組を視聴することができる。
【００１７】
リモコン２には、数字を指定するための数字キーと、ＥＰＧの表示を指示するためのＥＰＧキー、十字キー、決定キー、及び操作されたキーに応じた信号を送信するＬＥＤ、が設けられている。また、リモコン２には、例えばチャンネルの選択、電源のＯＮ／ＯＦＦ、音量の調整などを受付けるキーが設けられている。ユーザーは、いずれかのキーを押下して受信装置１に命令する。操作部２４には、リモコン２からの送信された命令を受信する受光部が設けられている。リモコン２で入力された命令は、ＬＥＤから送信され、操作部２４の受光部で受信される。そして、操作部２４は受信した命令を制御部１１に伝送する。なお、操作部２４には、リモコン２と同じキーが設けられている。
【００１８】
記憶部２３は、制御部１１により出力されたＥＰＧデータを記憶する。また、記憶部２３は録画予約、及び録画された番組データを記憶する。
【００１９】
続いて、図２を参照して、本実施形態の受信装置１の動作について説明する。
【００２０】
リモコン２のＥＰＧキーが押下されると、制御部１１は記憶部２３に記憶されているＥＰＧデータを読み出し、表示部３１に出力する。これにより、例えば図３に示すようなラテ欄形式の番組表が表示される（Ｓ１）。ＥＰＧデータは複数の番組について、それぞれ放送チャンネル、開始時刻、修了時刻、番組名、後述する番組情報及び番組詳細情報を含む。番組表には、各番組の開始時刻、番組名、及び番組情報が表示されている。
【００２１】
ユーザーはリモコン２の十字キーを用いて番組表上でフォーカスを移動し、リモコン２の決定ボタンを押すことにより、番組表の中から所望の番組を選択することができる。番組表の中の一つの番組上にフォーカスがあり、かつ決定ボタンが押下されたとき、表示画面が切り替わり当該番組の番組詳細情報が表示される（Ｓ２）。番組詳細情報とは、ＥＰＧデータに含まれるもので、例えば番組の内容や出演者等を記載したものである。この画面には、録画予約ボタン及び視聴予約ボタンが表示されている。ユーザーは録画予約ボタン上にフォーカスを移動し、リモコン２の決定ボタンを押すことによって録画予約を行うことができる。
【００２２】
図４は、番組表上の番組の一例である。この番組は、ＥＰＧデータ上では放送時間帯が０：５５〜２：４０の一つの番組とみなされている。しかし、実際には０：５５、１：２５、２：１０にそれぞれ開始する３つの番組が含まれている。このように、ＥＰＧ上では一つの番組でありながら、実際は複数の番組を含むＥＰＧデータは深夜番組などに多く見られる。
【００２３】
制御部１１は当該番組のＥＰＧデータの番組情報の文字列を解析し、分割点が含まれるかどうかを判定する（Ｓ３）。分割点とは、時刻情報であり、当該番組のＥＰＧデータに複数の番組が含まれているときには各番組の開始時刻である。番組分割点の抽出方法は後述する。
【００２４】
ステップＳ３において分割点がなかったとき、制御部１１は、当該番組のＥＰＧデータに記載されているチャンネル番号、番組開始時刻および終了時刻を記憶部２３に記憶し、録画予約処理を行う（Ｓ７）。
【００２５】
ステップＳ３において分割点があったとき、制御部１１は図５に示すような番組選択画面を作成し、表示部３１に表示する（Ｓ４）。番組選択画面から、ユーザーは、録画したい番組を選択することができる。番組選択画面には、「すべて録画」と「録画する番組を選択」の２つの選択肢を表示する。また、「録画する番組を選択」の選択肢については、各番組の番組名と放送時間帯を表示し、下位の選択肢とする。下位の選択肢については、複数の番組を同時に選択することが可能である。
【００２６】
番組選択画面作成にあたり、制御部１１は、ステップＳ３にてＥＰＧデータの番組情報より抽出した分割点を各番組の開始時刻とし、当該分割点の次の分割点を番組の終了時刻とする。また、当該分割点から当該次の分割点の間にある文字列を番組名の候補とする。番組名の候補として抽出した文字列の始点または終点に記号が含まれる場合、当該記号を削除して番組名としてもよい。
【００２７】
図４に示す例においては、「０：５５〜深夜のニュース◇１：２５」について、「０：５５」を番組開始時刻、「１：２５」を番組終了時刻とする。番組名の候補として「〜深夜のニュース◇」を抽出するが、このうち先頭の「〜」及び終点の「◇」を削除し、「深夜のニュース」を番組名とする。
【００２８】
番組選択画面から「すべて録画」が選択された場合（Ｓ５）、制御部１１は、当該番組のＥＰＧデータに記載されているチャンネル番号、番組開始時刻および終了時刻を記憶部２３に記憶し、録画予約処理を行う（Ｓ７）。一方、「録画する番組を選択」が選択され、番組が個別に選択されたとき、制御部１１は、ＥＰＧデータに記載されているチャンネル番号、並びにステップＳ３にて抽出した分割点を番組開始時刻及び終了時刻として記憶部２３に記憶する。
【００２９】
以上の動作により、録画予約処理が完了する。その後、表示部は再び番組表を表示する。記憶部２３に記憶された録画予約に基づき、録画予約された番組の放送が開始したとき、制御部１１は当該番組の番組データを記憶部２３に記憶する。
【００３０】
続いて、図６を参照して、ステップＳ３の番組分割点抽出の動作について説明する。制御部１１は、ＥＰＧデータの番組情報の文字列を解析する（Ｓ１１、Ｓ１２）。番組情報とは、例えば番組表に表示される文字列のうち、番組名を除いたものである。図４に示す例においては、「◇０：５５〜深夜のニュース◇１：２５〜ドキュメントスペシャル◇２：１０〜通販特集」が番組情報である。
【００３１】
ステップＳ１１において、番組情報の文字列に「（０〜２８までの数字）  ＋  “：”  +  （０〜５９までの数字）」が含まれていた場合、分割点候補とする。本実施形態では「０：５５」、「１：２５」、「２：１０」の３つが分割点候補である。文字列に「（０〜２８までの数字）  ＋  “：”  +  （０〜５９までの数字）」が含まれていなかった場合、次に「（０〜２８までの数字）  ＋  “時”  +  “分”」が含まれているかどうかを判定する。含まれていた場合には、これを分割点候補とする。いずれの文字列も含まれていなかった場合には、当該番組には分割点はないものと判断する（Ｓ１５）。
【００３２】
次に、分割点候補の示す時刻がＥＰＧデータの示す番組放送時間帯に含まれるかどうかを判定する（Ｓ１３）。このとき、分割点候補の時刻が２４時間表示なのか１２時間表示なのかを考慮して補正を行ってもよい。例えば、ＥＧＰデータの番組放送時間帯が１６：００〜１８：００である場合、当該時刻から１２時間を減じた値「４：００〜６：００」も番組放送時間帯とみなす。これにより、「４：３０」のように分割点候補の時刻が１２時間表示で表示されていても、当該分割点候補は番組放送時間帯に含まれると判断される。
【００３３】
本実施形態において、ＥＰＧデータの放送時間帯は０：５５〜２：４０であり、分割点候補「０：５５」、「１：２５」、「２：１０」はいずれも放送時間帯に含まれる。この場合、分割点候補を分割点と判断する（Ｓ１４）。ステップＳ１３において、分割点候補が放送時間帯に含まれていない場合、当該番組に分割点はないものと判断する（Ｓ１５）。
【００３４】
本実施形態では、ＥＰＧ上の一つ番組に複数の番組が含まれている例を説明した。その他に一つ番組が複数のコーナーを含む場合でも、同様に本発明を適用し、ユーザーが複数のコーナーのうちの一部を選択して録画予約を行うことが可能である。また、録画予約に限らず視聴予約についても、同様に各番組や各コーナーを選択して予約を行うことが可能である。
【００３５】
本実施形態はアンテナにより放送信号を受信するデジタル放送を例に説明したが、本発明は、放送信号と同時又は別に電子番組ガイドを受信する他の例にも適用可能である。例えば、インターネット接続を介してＩＰマルチキャストを受信するインターネットテレビであってもよいし、ケーブルを介して放送信号を受信するケーブルテレビであってもよい。
【００３６】
本発明は、ＥＰＧ上では一番組として取り扱われている複数の番組について、各番組を独立して選択できるようにするものである。これによって、ユーザーは自分の録画したい番組だけを選択して録画予約を行うことができる。
【符号の説明】
【００３７】
１  受信装置
１１  制御部
２２  受信部
２３  記憶部
【図１】
0005611617.tif 000002
【図２】
0005611617.tif 000003
【図３】
0005611617.tif 000004
【図４】
0005611617.tif 000005
【図５】
0005611617.tif 000006
【図６】
0005611617.tif 000007